(57)【要約】【課題】ピッキング操作等に役立つ突起物をロータ側に設けることなく、解錠キーの挿入姿勢を規制することができるシリンダ錠セットの提供を目的とする。【解決手段】前記解錠キー２の挿入軸部１が正規の挿入姿勢と反転姿勢の両方で挿入可能なキー挿入部３に対して進退し、キー挿入部３側先端に掬い部１１が形成されたタンブラ４の複数を備えたロータ５をシリンダケース６内に回転自在に挿入したシリンダ錠７とを有し、  前記解錠キー２の先端には、挿入軸部１の長手方向中心線に対して偏位した位置に挿入ガイド突部８が突設され、  かつ、少なくとも１のタンブラ４はキー未挿入状態において反転姿勢において挿入された解錠キー２の挿入ガイド突部８進入線より下方に掬い部１１が位置するように配置されて解錠キー２の反転挿入を禁止する。【選択図】図６
2008157025.tif 000002
【特許請求の範囲】
【請求項１】
挿入軸部を備えた解錠キーと、
前記解錠キーの挿入軸部が正規の挿入姿勢と反転姿勢の両方で挿入可能なキー挿入部に対して進退し、キー挿入部側先端に掬い部が形成されたタンブラの複数を備えたロータをシリンダケース内に回転自在に挿入したシリンダ錠とを有し、
前記解錠キーの先端には、挿入軸部の長手方向中心線に対して偏位した位置に挿入ガイド突部が突設され、
かつ、少なくとも１のタンブラはキー未挿入状態において反転姿勢において挿入された解錠キーの挿入ガイド突部進入線より下方に掬い部が位置するように配置されて解錠キーの反転挿入を禁止するシリンダ錠セット。
【請求項２】
前記解錠キーの断面形状が、曲線により形成される請求項１記載のシリンダ錠セット。
【発明の詳細な説明】
【技術分野】
【０００１】
本発明は、シリンダ錠セットに関するものである。
【背景技術】
【０００２】
一般にシリンダ錠は、解錠キーによって、ロータ内のタンブラを解錠キー側の解錠コード形成凹部により決定される所定位置に移動させ、該タンブラ位置によって施解錠状態を形成するように構成されるもので、解錠キーがロータに反転挿入される可能性のある場合、ロータに挿入された解錠キーの解錠コード形成凹部がタンブラ装着位置に確実に合致することを保証するためには、２つの方法が使用される。１つは、解錠コード形成凹部を解錠キーの表裏反転位置の双方に設ける、いわゆるリバーシブルタイプの解錠キーを使用する方法であり、他の一は、予め定められた挿入姿勢以外での解錠キーの挿入を禁止することにより上記関連づけを行ういわゆるワンウエイタイプの解錠キーを使用する方法である。このうち、リバーシブルタイプの解錠キーによる対応は、利用者が挿入姿勢を気にすることなくロータに解錠キーを挿入するだけでシリンダ錠の操作が行えるために、利便性は高いものの、解錠キーには、同一の解錠コード形成凹部を対称位置に彫り込む必要があるために、解錠キーの強度が低くなり、これに伴って解錠キーの断面積も大きくなってしまうという問題がある。
【０００３】
これに対し、ワンウエイタイプの解錠キーは、上述した問題が生じないために、概ね小断面に形成することが可能となり、コンパクト性が向上するという利点がある。
【０００４】
一方、このようなワンウエイタイプの解錠キーは、上述したように、反転挿入姿勢においては、解錠コード形成凹部にタンブラが対応しないために、解錠キーの挿入姿勢を規制する必要があり、従来、例えば、特開昭５８-１１２７２号公報「第９図」に示されるように、解錠キーの表裏非対称位置にガイド溝を形成するとともに、ロータ側のキー挿入部には、予め決定された挿入姿勢でのみガイド溝に嵌合可能なガイド突部を形成することが行われている。
【発明の開示】
【発明が解決しようとする課題】
【０００５】
しかし、このようにキー挿入部内にガイド突部のような突起物を突出させると、以下の理由によりピッキング操作に対する耐性が低くなってしまうという問題が発生する。すなわち、ピッキングと呼ばれるシリンダ錠への不正解錠操作は、適宜手段によりロータ５に初期回転操作力を付与した状態でタンブラをキー挿入部内に挿入した工具により操作することにより行われるが、上記突起物は、ロータへの初期回転操作力を付与する際の工具の引っ掛かり代として利用されてしまう。
【０００６】
本発明は、以上の欠点を解消すべくなされたものであって、ピッキング操作等に役立つ突起物をロータ側に設けることなく、解錠キーの挿入姿勢を規制することができるシリンダ錠セットの提供を目的とする。
【課題を解決するための手段】
【０００７】
本発明によれば上記目的は、
挿入軸部１を備えた解錠キー２と、
前記解錠キー２の挿入軸部１が正規の挿入姿勢と反転姿勢の両方で挿入可能なキー挿入部３に対して進退し、キー挿入部３側先端に掬い部１１が形成されたタンブラ４の複数を備えたロータ５をシリンダケース６内に回転自在に挿入したシリンダ錠７とを有し、
前記解錠キー２の先端には、挿入軸部１の長手方向中心線に対して偏位した位置に挿入ガイド突部８が突設され、
かつ、少なくとも１のタンブラ４はキー未挿入状態において反転姿勢において挿入された解錠キー２の挿入ガイド突部８進入線より下方に掬い部１１が位置するように配置されて解錠キー２の反転挿入を禁止するシリンダ錠セットを提供することにより達成される。
【０００８】
解錠キー２は、適宜の解錠コード形成凹部１ａが形成された挿入軸部１を有し、シリンダ錠７のロータ５には、上記挿入軸部１が挿入可能なキー挿入部３が設けられるとともに、所定移動線に沿ってロータ５内を移動自在なタンブラ４が装着される。タンブラ４のロータ５内での位置は、キー挿入部３に挿入された挿入軸部１の解錠コード形成凹部１ａにより一義的に決定され、該タンブラ４の位置によりロータ５のシリンダケース６に対する相対回転が禁止（施錠状態）、許可（解錠状態）される。
【０００９】
解錠キー２の解錠コード形成凹部１ａをロータ５内のタンブラ４の装着位置に関連付けるためには、解錠キー２の挿入姿勢を規制する必要があり、このため、解錠キー２の挿入軸部１に挿入ガイド突部８が設けられる。
【００１０】
挿入ガイド突部８は、挿入軸部１の先端に錐体類似の形状をなして形成され、頂部が挿入軸部１の長手方向中心線から偏った位置に配置される。
【００１１】
ロータ５内に装着され、キー挿入部３に対して所定の移動線に沿って進退するタンブラ４は、適宜の付勢手段により一端がキー挿入部３内に突出する方向に付勢され、解錠キー２未挿入状態において一端がキー挿入部３内に突出する。キー挿入部３への解錠キー２の挿入によりタンブラ４をロータ５内の所定位置に移動させるために、タンブラ４には掬い部１１が形成され、挿入軸部１を挿入して挿入ガイド突部８が掬い部１１に当接すると、掬い部１１は挿入ガイド突部８への挿入操作力から移動線方向の分力を得て、タンブラ４がロータ５内の所定位置に移動する。
【００１２】
以上のように、タンブラ４は、掬い部１１に移動線方向の分力が与えられる場合にのみ所定位置に移動することが可能であり、解錠キー２側の挿入ガイド突部８が正規の挿入姿勢の場合にのみ掬い部１１に対応するようにタンブラ４を構成すると、ロータ５内にキー挿入の規制突部を設けることなく挿入姿勢の規制を行うことができる。
【００１３】
したがって、本発明においては、解錠キー２の挿入姿勢をロータ５内に配置されるタンブラを利用して規制するために、ロータ５内に解錠キー２挿入姿勢を規制するための突起等を設ける必要がなくなる。この結果、ピッキング操作時におけるロータ５内の引っ掛かり部を少なくすることができるために、防盗性能を向上させることができる。
【００１４】
また、解錠キー２の挿入ガイド突部８は外部に露出して容易に視認できるために、利用者に容易に解錠キー２の挿入方向を知らせることが可能となる。
【００１５】
さらに、解錠キー２の挿入軸部１は、矩形断面形状のものを使用することも可能であるが、周縁が曲線により形成される断面形状を選択し、ロータ５側のキー挿入部３をこれと相似形状に形成した場合には、キー挿入部３内壁面に例えば矩形断面形状とした場合に発生する隅角部が存在しないために、ピッキング操作時における引っ掛かり代が全くなくなり、耐ピッキング性能を飛躍的に向上させることができる。
【００１６】
この場合、解錠キー２の挿入軸部１の断面形状としては、例えば、円形、長円、楕円等が採用できる。
【発明の効果】
【００１７】
以上の説明から明らかなように、本発明によれば、ピッキング操作等に役立つ突起物をロータ側に設けることなく、解錠キーの挿入姿勢を規制することができる。
【発明を実施するための最良の形態】
【００１８】
図１に本発明に使用する解錠キー２を示す。解錠キー２は、楕円断面形状の一般軸部の先端に挿入ガイド突部８を突出させた挿入軸部１の一端に操作用頭部２ａを固定して形成される。挿入ガイド突部８は、挿入軸部１の長手方向中心軸（Ｃ１）から下方にややずれた位置（偏位量δ８）を頂点とする球状先端８ａから握り部側に行くに従って徐々に断面積を拡大して一般軸部の断面形状（楕円形状）となるように変化する曲面により周壁が形成される円錐体類似の形状に形成される。
【００１９】
また、挿入軸部１の一般軸部には、図１（ｂ）に示すように、所定ピッチ（Ｐ）で複数の解錠コード形成凹部１ａが形成される。図１（ｅ）に示すように、解錠コード形成凹部１ａは、挿入軸部１の中心軸（Ｃ１）に直交する面内で、該中心軸（Ｃ１）を通る方向（加工方向線）から一般軸部を穿った截頭円錐ディンプル状の窪みとして形成される。各解錠コード形成凹部１ａの彫り込み深さは、後述するタンブラ４の配列に従って配置される。図１（ｅ）には、６種類の深さのいずれかが解錠コード形成凹部１ａとして形成される場合を示している。
【００２０】
キー違い数を増加させるために、各解錠コード形成凹部１ａは、一般軸部の中心軸（Ｃ１）上で交差角θで交差する２枚の平面（Ｐ１、Ｐ２）のいずれかに属する加工方向線１ｂ、１ｂに沿って形成され、図１（ａ）に示すように、異なった面に属する加工方向線１ｂから加工された解錠コード形成凹部１ａは、相互に２分の１ピッチずれて配置される。また、後述するように、ロータ５の小径化を図るために、解錠コード形成凹部１ａは、一般軸部の上半分にのみ形成される。
【００２１】
一方、シリンダ錠７は、図２に示すように、筒状体からなるシリンダケース６と、シリンダケース６のロータ挿入穴６ａ内に回転自在に挿入されるロータ５とを備える。
【００２２】
ロータ５は、長手通しに開設されるキー挿入部３と、ケース係脱手段１２とを備える。キー挿入部３は、上記解錠キー２の挿入軸部１が挿入可能な楕円断面形状に形成され、ロータ５内のスペースを後述するタンブラ４の収容スペースとして有効に利用し、ロータ５の小径化を図るために、楕円長軸の延長線がロータ５の回転中心を通り、かつ、楕円中心（Ｃ１）がロータ５の回転中心に対して下方に偏った位置（偏位量δ３）に設けられる。
【００２３】
このキー挿入部３の前方への開口を閉塞するために、ロータ５の前端部には２個のスライドシャッタ９、９が装着される。図３に示すように、スライドシャッタ９は、適宜厚さを有する表面が平坦面により形成されるピース状部材であり、ロータ５の前端面に挿入軸部１の楕円形状が現れるように、ロータ５前端面からやや後方に装着される。このスライドシャッタ９は、直線状の当接縁９ａを対向させた状態で側方、すなわち、キー挿入部３の中心線（Ｃ３）に対して直交する面内で接離方向に移動自在に装着され、コイルスプリング１３により接近方向に付勢されて当接縁９ａ同士が当接する閉成状態を維持する。
【００２４】
また、各スライドシャッタ９の当接縁９ａには、ガイド斜面１０が設けられる。ガイド斜面１０は、図３（ｂ）に示すように、スライドシャッタ９の背面側に行くに従って互いに接近する傾斜面からなり、解錠キー２における挿入ガイド突部８の球状先端８ａの偏位量δ８に等しい寸法だけキー挿入部３の楕円中心から下方にずれた位置に形成される（図２（ｂ）参照）。
【００２５】
したがってこの実施の形態において、挿入ガイド突部８を下方に位置させた姿勢でロータ５前面に現れているキー挿入部３に挿入軸部１が合致するように解錠キー２をスライドシャッタ９の当接縁９ａに突き当てると、図４（ａ）に示すように、挿入ガイド突部８はガイド斜面１０に合致し、解錠キー２への挿入操作力によってガイド斜面１０には側方への分力が生じ、スライドシャッタ９は側方に移動して解錠キー２を受容する（図４（ｂ）、（ｃ）参照）。
【００２６】
これに対して、図４（ｄ）に示すように、上述した方向と反転姿勢、すなわち、球状先端８ａが上方に位置する姿勢で解錠キー２をスライドシャッタ９の当接縁９ａに押し付けた場合には、球状先端８ａはスライドシャッタ９のガイド斜面１０に合致することがなく、図４（ｅ）に示すように、平坦面を押し付けることとなるために、スライドシャッタ９には開成方向の分力が発生せず、スライドシャッタ９を開成させて解錠キー２をキー挿入部３に挿入することができない。また、この姿勢で球状先端８ａがガイド斜面１０に合致するように解錠キー２を並進させることは、キー挿入部３のロータ５前面への楕円形露出部の周縁壁により阻まれるために不可能であり、結果、当該反転姿勢での挿入軸部１のキー挿入部３への挿入は規制される。
【００２７】
一方、上記ケース係脱手段１２は、図５に示すように、截頭円錐形状の掬い部１１を先端に備えるピン状のタンブラ４と、サイドバー１４とからなる。タンブラ４は、上記解錠キー２の挿入軸部１を完全にキー挿入部３に挿入した状態で、解錠キー２の加工方向線１ｂに中心が一致するタンブラ挿入孔５ａに移動自在に挿入される。各タンブラ挿入孔５ａにタンブラ４を挿入した状態において、上記加工方向線１ｂが属する各面に対応するタンブラ４の複数により２列のタンブラ列１５、１５が構成される。
【００２８】
また、各タンブラ４は、タンブラスプリング１６により中心方向に付勢されて、挿入軸部１が挿入されない状態で掬い部１１がキー挿入部３内に突出する。図６に示すように、掬い部１１は、キー挿入部３への突出状態において、基端、正確には、タンブラ４の一般部との境界と楕円長軸との交点（Ｃ）と楕円中心（Ｃ３）との間隔（δ）が解錠キー２の挿入ガイド突部８の偏位量δ８より小寸となるように設定される。
【００２９】
なお、図５において１７はタンブラ４及びタンブラ４スプリングの飛び出しを防止するためのキャップ部材を示し、ねじ孔１７ａにねじ込まれるねじを使用してロータ５に固定される。
【００３０】
さらに、各タンブラ４は、図５（ｂ）に示すように、ガイド溝４ａと、ガイド溝４ａの適宜箇所に凹設される解錠許可凹部４ｂとを側壁部に備える。ガイド溝４ａの形成位置は全てのタンブラ４で同一であるのに対し、解錠許可凹部４ｂの形成位置、詳しくは、掬い部１１側先端からの距離（Ｌ）は、タンブラ種により異なっており、各タンブラ挿入孔５ａには、数種のタンブラ種のいずれかが挿入される。
【００３１】
サイドバー１４は、ロータ５の長手方向に長いプレート形状を有し、上記タンブラ列１５毎に配置される。サイドバー１４を収容するために、ロータ５には、上記タンブラ挿入孔５ａに直交してサイドバー収容溝５ｂが形成される。また、サイドバー１４は、適宜箇所に配置される圧縮スプリング１４ａ（図３（ａ）参照）によりサイドバー収容溝５ｂから飛び出し方向に付勢されており、ロータ５をシリンダケース６内に収容した状態で、一側縁に形成される係脱部１４ｂがシリンダケース６内周壁面に形成されるロック溝６ｂに嵌合する。
【００３２】
さらに、サイドバー１４の係脱部１４ｂに対して反対端縁には複数の嵌合突起１４ｃが設けられる。嵌合突起１４ｃは、タンブラ４の配置ピッチ（Ｐ）に等しいピッチで配置され、各タンブラ４のガイド溝４ａに嵌合してロータ５の回り止めを行う。図５（ｂ）に示すように、嵌合突起１４ｃが上述したタンブラ４の解錠許可凹部４ｂに正対しない状態では、ガイド溝４ａの底壁によりロータ５内方への移動が規制されるために、サイドバー１４はロータ５内への没入が禁止され、係脱部１４ｂのロック溝６ｂとの係合が維持される。この状態がロータ５のシリンダケース６に対する空転が禁止される施錠状態に対応する。
【００３３】
したがってこの実施の形態において、解錠キー２を挿入しない状態で各タンブラ４は、上述したように、タンブラスプリング１６により付勢され、サイドバー１４の嵌合突起１４ｃにガイド溝４ａの終端壁面が衝接して先端がキー挿入部３内方に向けて突出する。この状態でサイドバー１４の係脱部１４ｂはシリンダケース６内周壁のロック溝６ｂに解除不能に係合しているために、ロータ５をシリンダケース６に対して空転させることができない。
【００３４】
この施錠状態から、図６（ａ）に示すように、各タンブラ４の種類に合致する解錠コード形成凹部１ａを備えた挿入軸部１を正規の挿入姿勢でキー挿入部３に挿入すると、やがて、解錠キー２の挿入ガイド突部８の球状先端８ａがタンブラ４の掬い部１１に当接し、掬い部１１には、解錠キー２の挿入操作力によってタンブラ４の移動線方向への分力（Ｆ）が発生し、各タンブラ４は、タンブラスプリング１６の付勢力に抗して解錠許可凹部４ｂがサイドバー１４の嵌合突起１４ｃに正対する位置まで移動する。各タンブラ４の解錠許可凹部４ｂがサイドバー１４の嵌合突起１４ｃに正対した状態において、ロータ５に回転操作力を付与すると、挿入軸部１がキー挿入部３内で空転不可能なため、回転操作力はキー挿入部３内周壁面を介して伝達される。図５（ｂ）に示すように、サイドバー１４の係脱部１４ｂは外に凸な曲率面を有し、かつ、ロック溝６ｂはＶ字状をなしているために、ロータ５に与えられた回転操作力により、サイドバー１４には、ロータ５内方への押しつけ分力（Ｆ１４）が発生する。上述したように、解錠状態においてサイドバー１４の嵌合突起１４ｃは、タンブラ４の解錠許可凹部４ｂに正対しているために、上記分力（Ｆ１４）によりサイドバー１４はロック溝６ｂとの係合を解除しながらロータ５内に没入し、ロータ５が回転する。
【００３５】
これに対し、図６（ｂ）に示すように、挿入姿勢が正規姿勢に対して反転した状態で解錠キー２をキー挿入部３に挿入すると、球状先端８ａはやがてタンブラ４に衝接する。この姿勢において、挿入ガイド突部８は、タンブラ４の掬い部１１に当接することなく、一般部に衝接することとなるために、解錠キー２の挿入操作力によってはタンブラ４に移動方向分力（Ｆ）が発生することがないために、タンブラ４は解錠キー２に対して障害物として機能し、反転姿勢での解錠キー２の挿入操作を禁止する。
【００３６】
さらに、この実施の形態において、ロータ５は、同一シリンダ錠７で暫定解錠コードと最終解錠コードを設定可能にするためのコード付与機構１８を備える。このコード付与機構１８は、上述したタンブラ列１５の最後端に配置されるコンストラクションタンブラ１９と、ロータ５の終端に装着されるコンストラクションピース２０と、ロータ５の終端部に上下移動自在に装着され、スプリング２１ａによりキー挿入部３側に付勢されるセットピン２１とから構成される。
【００３７】
コンストラクションタンブラ１９は、上述した一般のタンブラ４と同一の構成を有し、解錠許可凹部４ｂの位置によりサイドバー１４の進退を規制する。
【００３８】
コンストラクションピース２０は、図８に示すように、楕円形断面を有し、上面前後端に一対のピン嵌合孔２０ａを備える。このコンストラクションピース２０は、ロータ５のキー挿入部３終端においてキー挿入部３に沿って移動自在に装着され、上記ピン嵌合孔２０ａのいずれかに上記セットピン２１の下端を嵌合させることによりキー挿入部３内での位置が規制される。図７（ａ）は後端のピン嵌合孔２０ａにセットピン２１が嵌合した状態、図７（ｃ）は前端のピン嵌合孔２０ａにセットピン２１が嵌合した状態を示す。
【００３９】
また、コンストラクションピース２０の前端部には、後端部のピン嵌合孔２０ａにセットピン２１が嵌合した状態でコンストラクションタンブラ１９が嵌合可能なコード付与孔２０ｂが設けられ、該コード付与孔２０ｂに嵌合した状態がコンストラクションタンブラ１９の解錠位置に相当する。
【００４０】
したがって、上述した状態において、図７（ａ）に示すように、コンストラクションピース２０に届かない短寸の解錠キー２が正規の解錠コード形成凹部１ａを有していると、各タンブラ４が解錠位置に移動するとともに、セットピン２１は、ロータ５内に装着されてシリンダケース６との引っ掛かりが存在しないために、シリンダ錠７のロータ５に回転操作を与えることが可能となる。
【００４１】
この後、図７（ｂ）に示すように、長寸の解錠キー２’を挿入すると、コンストラクションピース２０は後方に押し出されて、セットピン２１がコンストラクションピース２０の前端部のピン嵌合孔２０ａに嵌合する。コンストラクションピース２０の後方への移動により、コンストラクションタンブラ１９はコンストラクションピース２０の支えを失ってキー挿入部３内に突出する。この状態においては、上述した短寸の解錠キー２によるシリンダ錠７の解錠が不可能となり、以後、上記コンストラクションタンブラ１９を解錠位置まで移動させることが可能な解錠コード形成凹部１ａを備えた長寸の解錠キー２によってのみ解錠操作が可能となる。
【００４２】
このようなコード付与機構１８は、例えば、新築家屋築造時において、作業員は短寸の解錠キー２を使用して建造中の建物内に出入りし、家屋引き渡し時に長寸の解錠キー２’を施主に渡して短寸の解錠キー２による解錠操作を禁止するような場合に適用できる。
【図面の簡単な説明】
【００４３】
【図１】本発明に使用する解錠キーを示す図で、（ａ）は側面図、（ｂ）は（ａ）の１Ｂ方向矢視図、（ｃ）は（ａ）の１Ｃ-１Ｃ線断面図、（ｄ）は（ａ）の１Ｄ-２Ｄ線断面図、（ｅ）は（ａ）の１Ｅ-１Ｅ線断面図である。
【図２】本発明に使用するシリンダ錠を示す図で、（ａ）は断面図、（ｂ）は（ａ）の２Ｂ方向矢視図である。
【図３】スライドシャッタを示す図で、（ａ）はシリンダケースから取り出した状態における図２（ａ）の３Ａ方向矢視図、（ｂ）は図２（ｂ）の３Ｂ-３Ｂ線断面図、（ｃ）は図３（ｂ）の３Ｃ-３Ｃ線断面図である。
【図４】スライドシャッタの動作を示す図で、（ａ）は正規の挿入姿勢で解錠キーをスライドシャッタに突き当てた状態を示す図３（ｂ）に対応する断面図、（ｂ）は解錠キーを挿入した状態を示す図３（ｃ）に対応する断面図、（ｃ）は図４（ｂ）の４Ｃ-４Ｃ線断面図、（ｄ）は反転姿勢で解錠キーをスライドシャッタに突き当てた状態を示す図３（ｃ）に対応する図、（ｅ）は図４（ｄ）の４Ｅ-４Ｅ線断面図である。
【図５】ケース係脱手段を示す図で、（ａ）はロータを示す図、（ｂ）は（ａ）の５Ｂ-５Ｂ線断面図である。
【図６】図５（ｂ）の要部拡大図で、（ａ）は正規の挿入姿勢で解錠キーを挿入した状態を示す図、（ｂ）は反転姿勢で解錠キーを挿入した状態を示す図である。
【図７】コード付与機構を示す図で、（ａ）は短寸の解錠キーを挿入した状態を示す断面図、（ｂ）は長寸の解錠キーを挿入する途中を示す図、（ｃ）は長寸の解錠キーを挿入した状態を示す図である。
【図８】コンストラクションピースを示す図で、（ａ）は側面図、（ｂ）は（ａ）の８Ｂ方向矢視図、（ｃ）は（ａ）の８Ｃ-８Ｃ線断面図、（ｄ）は（ａ）の８Ｄ方向矢視図、（ｅ）は（ａ）の８Ｅ-８Ｅ線断面図である。
【符号の説明】
【００４４】
１        挿入軸部
２        解錠キー
３        キー挿入部
４        タンブラ
５        ロータ
６        シリンダケース
７        シリンダ錠
８        挿入ガイド突部
９        スライドシャッタ
１０      ガイド斜面
１１      掬い部
【図１】
2008157025.tif 000003
【図２】
2008157025.tif 000004
【図３】
2008157025.tif 000005
【図４】
2008157025.tif 000006
【図５】
2008157025.tif 000007
【図６】
2008157025.tif 000008
【図７】
2008157025.tif 000009
【図８】
2008157025.tif 000010